(57)【要約】【課題】小型かつ広角の結像光学系、および、この結像光学系を備えた画像読取装置を提供する。【解決手段】物体側から順に、正のパワーを有する１つのミラーと、複数のレンズからなり正のパワーを有する屈折光学系とからなり、ミラーと屈折光学系との間に中間像を結像する結像光学系であり、ミラーおよび屈折光学系は、共通の光軸を有し、かつ光軸を回転軸とする回転対称な形状であり、ミラーは、非球面形状であり、屈折光学系の最も物体側のレンズである第１レンズは、物体側に凹面を向けた正レンズである。【選択図】図２
2020126232.tif 000002
【特許請求の範囲】
【請求項１】
物体側から順に、正のパワーを有する１つのミラーと、複数のレンズからなり正のパワーを有する屈折光学系とからなり、前記ミラーと前記屈折光学系との間に中間像を結像する結像光学系であり、
前記ミラーおよび前記屈折光学系は、共通の光軸を有し、かつ前記光軸を回転軸とする回転対称な形状であり、
前記ミラーは、非球面形状であり、
前記屈折光学系の最も物体側のレンズである第１レンズは、物体側に凹面を向けた正レンズである結像光学系。
【請求項２】
前記ミラーの反射面から結像面までの光軸上の距離をＴＴＬ、
前記ミラーの反射面から物体面までの光軸上の距離をＺＯＢ、
前記第１レンズの物体側の面から前記結像面までの光軸上の距離をＬＬ０、
最大像高をＹｍａｘとした場合、
０．８＜ＴＴＬ／ＺＯＢ＜２．５  …（１）
６＜ＬＬ０／Ｙｍａｘ＜１５  …（２）
で表される条件式（１）および（２）を満足する
請求項１に記載の結像光学系。
【請求項３】
前記第１レンズの焦点距離をｆＬ１、
前記屈折光学系の焦点距離をｆＬ０とした場合、
３＜ｆＬ１／ｆＬ０＜５０  …（３）
で表される条件式（３）を満足する
請求項１または２に記載の結像光学系。
【請求項４】
前記屈折光学系は、物体側から順に、正のパワーを有する前群と、絞りと、正のパワーを有する後群とからなり、
前記前群は、最も物体側から順に連続して、前記第１レンズと、負のパワーを有する第２レンズと、正のパワーを有する第３レンズとを備える
請求項１から３のいずれか１項に記載の結像光学系。
【請求項５】
前記後群は、正レンズと負レンズとからなり全体として正のパワーを有する接合レンズを最も像側に備え、
前記接合レンズを構成する前記正レンズのアッベ数が５０以上であり、
前記接合レンズを構成する前記負レンズのアッベ数が４０以下である
請求項４に記載の結像光学系。
【請求項６】
前記屈折光学系の前記第１レンズは非球面レンズであり、
前記屈折光学系の前記第１レンズ以外のレンズは球面レンズである
請求項１から５のいずれか１項に記載の結像光学系。
【請求項７】
０．８５＜ＴＴＬ／ＺＯＢ＜２  …（１−１）
で表される条件式（１−１）を満足する
請求項２に記載の結像光学系。
【請求項８】
７＜ＬＬ０／Ｙｍａｘ＜１３  …（２−１）
で表される条件式（２−１）を満足する
請求項２に記載の結像光学系。
【請求項９】
４＜ｆＬ１／ｆＬ０＜２５  …（３−１）
で表される条件式（３−１）を満足する
請求項３に記載の結像光学系。
【請求項１０】
前記接合レンズを構成する前記正レンズのアッベ数が５５以上である
請求項５に記載の結像光学系。
【請求項１１】
前記接合レンズを構成する前記負レンズのアッベ数が３０以下である
請求項５に記載の結像光学系。
【請求項１２】
請求項１から１１のいずれか１項に記載の結像光学系を備える画像読取装置。
【請求項１３】
画像の読取範囲が前記光軸を含まない領域に設定されている
請求項１２に記載の画像読取装置。
【発明の詳細な説明】
【技術分野】
【０００１】
本開示は、結像光学系および画像読取装置に関する。
【背景技術】
【０００２】
画像の読取範囲内に置かれた被写体を、被写体上部から撮像するスタンドスキャナ型の画像読取装置が知られている。このような画像読取装置に使用可能な結像光学系として、例えば下記特許文献１から３に記載のものが知られている。特許文献１から３の結像光学系はいずれも、複数のレンズからなる屈折光学系と、ミラーとを組み合わせて構成されている。
【先行技術文献】
【特許文献】
【０００３】
【特許文献１】特開２０１６−２１２１４９号公報
【特許文献２】特許第５２７４０３０号公報
【特許文献３】国際公開第２０１６／１２５８４８号
【発明の概要】
【発明が解決しようとする課題】
【０００４】
スタンドスキャナ型の画像読取装置は、主として机の上に設置され、机の上に置かれた被写体を読み取る。そのため、画像読取装置はなるべく小型であることが要求されるため、画像読取装置に搭載される結像光学系についても小型であることが要求される。また、画像読取装置に搭載される結像光学系は、なるべく広い領域の被写体を読み取ることができるように、広角であることも要求される。
【０００５】
これに対して、特許文献１から３の結像光学系は、いずれも屈折光学系の最も物体側のレンズが負レンズである。屈折光学系の最も物体側のレンズは、広い画角からの光が入射されるため、比較的大型のレンズが用いられる。屈折光学系の最も物体側のレンズを負レンズとした場合、ミラーから入射した光束が収束せずに出射するため、次のレンズも大型化し、結果として屈折光学系の全長の拡大にもつながる。そのため、結像光学系の小型化に不利となる。
【０００６】
本開示は、上記事情に鑑みなされたものであり、小型かつ広角の結像光学系、および、この結像光学系を備えた画像読取装置を提供することを目的とするものである。
【課題を解決するための手段】
【０００７】
本開示の一態様に係る結像光学系は、物体側から順に、正のパワーを有する１つのミラーと、複数のレンズからなり正のパワーを有する屈折光学系とからなり、ミラーと屈折光学系との間に中間像を結像する結像光学系であり、ミラーおよび屈折光学系は、共通の光軸を有し、かつ光軸を回転軸とする回転対称な形状であり、ミラーは、非球面形状であり、屈折光学系の最も物体側のレンズである第１レンズは、物体側に凹面を向けた正レンズである。
【０００８】
上記態様の結像光学系においては、ミラーの反射面から結像面までの光軸上の距離をＴＴＬ、ミラーの反射面から物体面までの光軸上の距離をＺＯＢ、第１レンズの物体側の面から結像面までの光軸上の距離をＬＬ０、最大像高をＹｍａｘとした場合、条件式（１）および（２）を満足することが好ましい。また、条件式（１）および（２）を満足した上で、条件式（１−１）および（２−１）の少なくとも１つを満足することがより好ましい。
０．８＜ＴＴＬ／ＺＯＢ＜２．５  …（１）
０．８５＜ＴＴＬ／ＺＯＢ＜２  …（１−１）
６＜ＬＬ０／Ｙｍａｘ＜１５  …（２）
７＜ＬＬ０／Ｙｍａｘ＜１３  …（２−１）
【０００９】
また、上記態様の結像光学系においては、第１レンズの焦点距離をｆＬ１、屈折光学系の焦点距離をｆＬ０とした場合、条件式（３）を満足することが好ましい。また、条件式（３−１）を満足することがより好ましい。
３＜ｆＬ１／ｆＬ０＜５０  …（３）
４＜ｆＬ１／ｆＬ０＜２５  …（３−１）
【００１０】
また、上記態様の結像光学系においては、屈折光学系は、物体側から順に、正のパワーを有する前群と、絞りと、正のパワーを有する後群とからなり、前群は、最も物体側から順に連続して、第１レンズと、負のパワーを有する第２レンズと、正のパワーを有する第３レンズとを備えることが好ましい。
【００１１】
また、上記態様の結像光学系においては、後群は、正レンズと負レンズとからなり全体として正のパワーを有する接合レンズを最も像側に備え、接合レンズを構成する正レンズのアッベ数が５０以上であり、接合レンズを構成する負レンズのアッベ数が４０以下であることが好ましい。また、接合レンズを構成する正レンズおよび負レンズのアッベ数がこれらの条件を満足した上で、接合レンズを構成する正レンズのアッベ数が５５以上、および、接合レンズを構成する負レンズのアッベ数が３０以下の少なくとも一方を満足することがより好ましい。
【００１２】
また、上記態様の結像光学系においては、屈折光学系の第１レンズは非球面レンズであり、屈折光学系の第１レンズ以外のレンズは球面レンズであることが好ましい。
【００１３】
本開示の一態様に係る画像読取装置は、本開示の上記態様の結像光学系を備える。
【００１４】
上記態様の画像読取装置においては、画像の読取範囲が光軸を含まない領域に設定されていることが好ましい。
【００１５】
本明細書の「〜からなり」、「〜からなる」は、挙げられた構成要素以外に、実質的にパワーを有さないレンズ、絞り、フィルタ、平面ミラー、および、カバーガラス等の光学要素が含まれていてもよいことを意図する。また、レンズフランジ、レンズバレル、および、撮像素子等の部品が含まれていてもよいことを意図する。
【００１６】
また、構成要素の配列に関する「物体側から順に」は、光路に沿って物体側から順に、という意味である。非球面に関する屈折力の符号および面形状は、特に断りが無い限り近軸領域で考えることにする。本明細書に記載の「Ｃ線」、「ｄ線」、「ｅ線」、および、「ｇ線」は輝線であり、Ｃ線の波長は６５６．２７ｎｍ（ナノメートル）、ｄ線の波長は５８７．５６ｎｍ（ナノメートル）、ｅ線の波長は５４６．０７ｎｍ（ナノメートル）、ｇ線の波長は４３５．８６ｎｍ（ナノメートル）である。
【発明の効果】
【００１７】
本開示によれば、小型かつ広角の結像光学系、および、この結像光学系を備えた画像読取装置を提供することができる。
【図面の簡単な説明】
【００１８】
【図１】本開示の一実施形態に係る画像読取装置の概略構成図
【図２】本開示の一実施形態に係る結像光学系（実施例１と共通）の構成を示す断面図
【図３】本開示の一実施形態に係る結像光学系（実施例１と共通）の構成を示す断面図
【図４】本開示の実施例２の結像光学系の構成を示す断面図
【図５】本開示の実施例３の結像光学系の構成を示す断面図
【図６】本開示の実施例４の結像光学系の構成を示す断面図
【図７】本開示の実施例５の結像光学系の構成を示す断面図
【図８】本開示の実施例６の結像光学系の構成を示す断面図
【図９】本開示の実施例７の結像光学系の構成を示す断面図
【図１０】本開示の実施例８の結像光学系の構成を示す断面図
【図１１】本開示の実施例９の結像光学系の構成を示す断面図
【図１２】本開示の実施例１０の結像光学系の構成を示す断面図
【図１３】本開示の実施例１の結像光学系の非点収差図および歪曲収差図
【図１４】本開示の実施例１の結像光学系の横収差図
【図１５】本開示の実施例２の結像光学系の非点収差図および歪曲収差図
【図１６】本開示の実施例２の結像光学系の横収差図
【図１７】本開示の実施例３の結像光学系の非点収差図および歪曲収差図
【図１８】本開示の実施例３の結像光学系の横収差図
【図１９】本開示の実施例４の結像光学系の非点収差図および歪曲収差図
【図２０】本開示の実施例４の結像光学系の横収差図
【図２１】本開示の実施例５の結像光学系の非点収差図および歪曲収差図
【図２２】本開示の実施例５の結像光学系の横収差図
【図２３】本開示の実施例６の結像光学系の非点収差図および歪曲収差図
【図２４】本開示の実施例６の結像光学系の横収差図
【図２５】本開示の実施例７の結像光学系の非点収差図および歪曲収差図
【図２６】本開示の実施例７の結像光学系の横収差図
【図２７】本開示の実施例８の結像光学系の非点収差図および歪曲収差図
【図２８】本開示の実施例８の結像光学系の横収差図
【図２９】本開示の実施例９の結像光学系の非点収差図および歪曲収差図
【図３０】本開示の実施例９の結像光学系の横収差図
【図３１】本開示の実施例１０の結像光学系の非点収差図および歪曲収差図
【図３２】本開示の実施例１０の結像光学系の横収差図
【発明を実施するための形態】
【００１９】
以下、本開示の一実施形態について図面を参照して詳細に説明する。図１は、本開示の一実施形態に係る画像読取装置１０の概略構成図である。
【００２０】
画像読取装置１０は、画像の読取範囲２０内に置かれた被写体を、被写体上部から撮像するスタンドスキャナ型の装置であり、結像光学系１１と撮像素子１２とが筐体１３内に収納されて構成される。結像光学系１１は、物体側から順に、正のパワーを有する１つのミラー１１ａと、複数のレンズからなり正のパワーを有する屈折光学系１１ｂとから構成される。撮像素子１２は、結像光学系１１によって形成された被写体像に応じた撮像信号を出力する素子であり、結像光学系１１の結像面に配置される。撮像素子１２としては、ＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等を用いることができる。
【００２１】
次に、画像読取装置１０に搭載される結像光学系１１の具体例について説明する。図２および図３は、本開示の一実施形態に係る結像光学系（実施例１と共通）の構成を示す断面図である。図２および図３に示す構成例は、後述の実施例１の結像光学系の構成と共通である。図２および図３においては、光束として光軸近傍の光束Ａおよび最大画角の光束Ｂを併せて記入している。また、図２においては、光軸Ｚに沿ってミラーＭ１側が物体側、結像面Ｓｉｍ側が像側となるように記載している。また、図３は、図２における結像光学系部分を拡大して示したものであり、図２に示す状態から左に９０度回転させた状態で示している。なお、図２および図３に示す開口絞りＳｔは、形状を示しているのではなく、光軸上の位置を示している。
【００２２】
この結像光学系は、物体側から順に、正のパワーを有する１つのミラーＭ１と、複数のレンズからなり正のパワーを有する屈折光学系ＲＯとからなり、ミラーＭ１と屈折光学系ＲＯとの間に中間像Ｉを結像する。なお、図２および図３では、便宜上、光軸近傍の中間像Ｉを簡略的に図示している。屈折光学系ＲＯは、一例として、物体側から順に、レンズＬ１からＬ４の４枚のレンズからなる前群ＧＦと、開口絞りＳｔと、レンズＬ５からＬ７の３枚のレンズからなる後群ＧＲとから構成される。このように、結像光学系内で中間像Ｉを形成することにより、結像光学系内で光束が拡大するのを抑えることができるため、結像光学系の小型化および広角化に有利となる。
【００２３】
また、ミラーＭ１および屈折光学系ＲＯは、共通の光軸Ｚを有し、かつ光軸Ｚを回転軸とする回転対称な形状である。このような構成とすることにより、結像光学系の設計が容易となり、さらに結像光学系を構成する光学素子の加工性および組立性も向上する。その結果、結像光学系のコストを抑えつつ、性能向上に有利となる。
【００２４】
なお、本開示では、ミラーＭ１および屈折光学系ＲＯの形状について、光軸Ｚを回転軸とする回転対称な形状から、結像に利用しない領域を部分的に切断した形状についても、光軸Ｚを回転軸とする回転対称な形状に含めるものとする。上記の「ミラーＭ１および屈折光学系ＲＯは、〜回転対称な形状」とは、面形状についてのことであり、ミラーＭ１および屈折光学系ＲＯの結像に利用する光学面が回転対称面であることを意味する。
【００２５】
また、ミラーＭ１は、非球面形状である。このように、結像光学系の最も物体側に配置されて有効径が大きいミラーＭ１を非球面形状とすることにより、像面湾曲、コマ収差、非点収差、および、歪曲収差の補正に有利となる。
【００２６】
また、屈折光学系ＲＯの最も物体側のレンズである第１レンズＬ１は、物体側に凹面を向けた正レンズである。このように、第１レンズＬ１の物体側を凹面とすることにより、第１レンズＬ１の径を抑えつつ、画角を広く取ることができる。また、第１レンズＬ１を正レンズとすることにより、ミラーＭ１から入射した光束が収束して出射するため、次の第２レンズＬ２の径を小さくすることができ、また、屈折光学系ＲＯの全長の短縮化につながる。そのため、結像光学系の小型化に有利となる。
【００２７】
上述の通り、本実施形態の結像光学系は、小型かつ広角の結像光学系とすることができる。そのため、本実施形態の結像光学系を備える画像読取装置１０についても、小型で、かつ広範囲の画像を読み取り可能な装置とすることができる。
【００２８】
また、画像読取装置１０について、ミラーＭ１を用いて、画像の読取範囲２０が光軸Ｚを含まない領域となるように構成することにより、スタンドスキャナ型の装置として好適な構成とすることができる。
【００２９】
本実施形態の結像光学系においては、ミラーＭ１の反射面から結像面Ｓｉｍまでの光軸Ｚ上の距離をＴＴＬ、ミラーＭ１の反射面から物体面Ｏｂｊまでの光軸Ｚ上の距離をＺＯＢ、第１レンズＬ１の物体側の面から結像面Ｓｉｍまでの光軸Ｚ上の距離をＬＬ０、最大像高をＹｍａｘとした場合、条件式（１）および（２）を満足することが好ましい。なお、最大像高Ｙｍａｘとは、光軸Ｚから最も離れた像点と光軸Ｚとの距離を意味する。また、物体面ＯｂｊとミラーＭ１との間、ミラーＭ１と屈折光学系ＲＯとの間、および／又は屈折光学系ＲＯと結像面Ｓｉｍとの間にフィルタ又はカバーガラス等のパワーを有しない光学部材が配置されている場合は、このパワーを有しない光学部材の分の距離は空気換算距離での値を用いる。例えば、屈折光学系ＲＯと結像面Ｓｉｍとの間にフィルタ又はカバーガラス等のパワーを有しない光学部材が配置されている場合は、ミラーＭ１の反射面から屈折光学系ＲＯの最も像側の面までの光軸Ｚ上の距離と、結像光学系の空気換算距離でのバックフォーカスとの和がＴＴＬとなる。
０．８＜ＴＴＬ／ＺＯＢ＜２．５  …（１）
０．８５＜ＴＴＬ／ＺＯＢ＜２  …（１−１）
６＜ＬＬ０／Ｙｍａｘ＜１５  …（２）
７＜ＬＬ０／Ｙｍａｘ＜１３  …（２−１）
【００３０】
画像読取装置１０を原稿配置台と同一の面（物体面Ｏｂｊ）またはその近傍に設置するためには、読取光の光束を折り曲げるためのミラーＭ１が必要となる。条件式（１）の下限以下とならないようにすることにより、結像光学系の全長が読取範囲に比較して短くなり過ぎないようにすることができるため、収差の補正に有利となる。条件式（１）の上限以上とならないようにすることにより、結像光学系の全長が読取範囲に比較して長くなり過ぎないようにすることができるため、装置の小型化に有利となる。
【００３１】
条件式（２）の下限以下とならないようにすることにより、最大像高Ｙｍａｘに対して屈折光学系ＲＯの全長が短くなり過ぎないため、収差の補正に有利となる。条件式（２）の上限以上とならないようにすることにより、屈折光学系ＲＯの小型化に有利となるため、画像読取装置１０全体の小型化に有利となる。
【００３２】
なお、条件式（１）および（２）を満足した上で、条件式（１−１）および（２−１）の少なくとも一方を満足するものとすれば、より良好な特性とすることができる。
【００３３】
また、第１レンズの焦点距離をｆＬ１、屈折光学系ＲＯの焦点距離をｆＬ０とした場合、条件式（３）を満足することが好ましい。第１レンズＬ１の有効径を大きくしつつ、屈折光学系ＲＯを小型化させるためには、第１レンズＬ１に適切な正のパワーが必要である。ただし、第２レンズＬ２も有効径が大きい方が収差補正に有利であるため、第１レンズＬ１の正のパワーは大きくし過ぎない必要がある。条件式（３）の下限以下とならないようにすることにより、第１レンズＬ１の正のパワーが大きくなり過ぎないようにすることができる。条件式（３）の上限以上とならないようにすることにより、第１レンズＬ１に適切な正のパワーを確保することができる。なお、条件式（３−１）を満足するものとすれば、より良好な特性とすることができる。
３＜ｆＬ１／ｆＬ０＜５０  …（３）
４＜ｆＬ１／ｆＬ０＜２５  …（３−１）
【００３４】
また、屈折光学系ＲＯは、物体側から順に、正のパワーを有する前群ＧＦと、開口絞りＳｔと、正のパワーを有する後群ＧＲとからなり、前群ＧＦは、最も物体側から順に連続して、第１レンズＬ１と、負のパワーを有する第２レンズＬ２と、正のパワーを有する第３レンズＬ３とを備えることが好ましい。このように、第２レンズＬ２のパワーを負とすることにより、光線が急に収束する事を避け、さらに、比較的有効径の大きな第１レンズＬ１、第２レンズＬ２、および、第３レンズＬ３の３枚のレンズのパワー配置を正負正の構成として、正、負の作用を分散することによって、コマ収差および像面湾曲の補正に有利となる。
【００３５】
また、後群ＧＲは、正レンズと負レンズとからなり全体として正のパワーを有する接合レンズＣ１を最も像側に備え、接合レンズＣ１を構成する正レンズのアッベ数が５０以上であり、接合レンズＣ１を構成する負レンズのアッベ数が４０以下であることが好ましい。図２および図３に示す本実施形態の結像光学系では、正レンズＬ６および負レンズＬ７によりこの接合レンズＣ１が構成される。このように、開口絞りＳｔより像側で、かつ軸外主光線の高さが高くなる位置に、上記のアッベ数差を有する正レンズと負レンズとからなる接合レンズＣ１を配置することにより、倍率色収差の補正に有利となる。また、前群ＧＦが正レンズと負レンズとを備える場合、開口絞りＳｔより像側の後群ＧＲにも正レンズと負レンズとを備えることにより、像面湾曲および歪曲収差の補正に有利となる。なお、接合レンズＣ１を構成する正レンズおよび負レンズのアッベ数がこれらの条件を満足した上で、接合レンズＣ１を構成する正レンズのアッベ数が５５以上、および、接合レンズＣ１を構成する負レンズのアッベ数が３０以下の少なくとも一方を満足するものとすれば、より良好な特性とすることができる。
【００３６】
また、屈折光学系ＲＯの第１レンズＬ１は非球面レンズであり、屈折光学系ＲＯの第１レンズＬ１以外のレンズは球面レンズであることが好ましい。このように、屈折光学系ＲＯの最も物体側に位置し、有効径が大きく、異なる像高に対する光束の重なりが小さい第１レンズＬ１を非球面形状とすることにより、収差を効果的に補正することができる。また、屈折光学系ＲＯの残りのレンズを全て球面レンズとすることにより、結像光学系を構成する光学素子の加工性および組立性の向上に有利となる。その結果、結像光学系のコストを抑えつつ、性能向上に有利となる。
【００３７】
次に、本発明の結像光学系の数値実施例について説明する。
［実施例１］
実施例１の結像光学系の構成を示す断面図を図３に示す。図３の図示方法は上述しているため、ここでは重複説明を一部省略する。また、図示方法については、実施例２〜１０についても基本的に同様である。
【００３８】
実施例１の結像光学系は、物体側から順に、正のパワーを有する１つのミラーＭ１と、複数のレンズからなり正のパワーを有する屈折光学系ＲＯとから構成される。屈折光学系ＲＯは、物体側から順に、レンズＬ１からＬ４の４枚のレンズからなる前群ＧＦと、開口絞りＳｔと、レンズＬ５からＬ７の３枚のレンズからなる後群ＧＲとから構成される。
【００３９】
実施例１の結像光学系のレンズデータを表１に、非球面係数に関するデータを表２に示す。以下では、表中の記号の意味について、実施例１のものを例にとり説明するが、実施例２〜１０についても基本的に同様である。
【００４０】
表１のレンズデータにおいて、Ｓの欄には最も物体側の構成要素の面を１番目として像側に向かうに従い順次増加する面番号を示し、Ｒの欄には各面の曲率半径を示し、Ｄの欄には各面とその次の面との光軸Ｚ上の間隔を示す。また、Ｎｄの欄には各光学要素のｄ線における屈折率を示し、νｄの欄には各光学要素のｄ線におけるアッベ数を示す。ただし、反射面はＮｄの欄にmirrorと記入している。また、曲率半径の符号は、面形状が物体側に凸の場合を正、像側に凸の場合を負としている。曲率半径が０．０００とは平面を意味する。レンズデータには、物体面Ｏｂｊ、開口絞りＳｔ、および、結像面Ｓｉｍも含めて示している。
【００４１】
表１のレンズデータでは、非球面の面番号に＊印を付しており、非球面の曲率半径として近軸の曲率半径の数値を示している。表２の非球面係数に関するデータには、非球面の面番号と、これら非球面に関する非球面係数を示す。表２の非球面係数の数値の「Ｅ±ｎ」（ｎ：整数）は「×１０±ｎ」を意味する。非球面係数は、下記式で表される非球面式における各係数Ｋ、ＲＢｉの値である。
【００４２】
【数１】
2020126232.tif 000003
ただし、
Ｚｄ：非球面深さ（高さｈの非球面上の点から、非球面頂点が接する光軸に垂直な平面に下ろした垂線の長さ）
ｈ：高さ（光軸からの距離）
ＣＣ：近軸曲率半径の逆数
Ｋ、ＲＢｉ：非球面係数
であり、非球面深さＺにおけるΣはｉに関する総和を意味する。
【００４３】
【表１】
2020126232.tif 000004
【００４４】
【表２】
2020126232.tif 000005
【００４５】
図１３および図１４に、実施例１の結像光学系の各収差図を示す。図１３には左から順に、非点収差図および歪曲収差図（ディストーション）を示す。非点収差図では、サジタル方向のｅ線における収差を実線で示し、タンジェンシャル方向のｅ線における収差を点線で示す。歪曲収差図ではｅ線における収差を実線で示す。各収差図のωは半画角を意味する。なお、本開示における実施例では画角０度近傍が使用範囲外であるため、非点収差図および歪曲収差図（ディストーション）では、使用範囲内だけを収差図に示している。また、上記理由により、本開示では球面収差図については不記載とする。
【００４６】
図１４には横収差図を示す。左列にタンジェンシャル方向の収差、右列にサジタル方向の収差を各画角について示す。横収差図では、ｅ線、ｇ線、および、Ｃ線における収差をそれぞれ実線、長破線、および、短破線で示す。
【００４７】
上記の実施例１に関する各データの記号、意味、記載方法、および図示方法は、特に断りが無い限り以下の実施例においても同様であるので、以下では一部重複説明を省略する。
【００４８】
［実施例２］
次に、実施例２の結像光学系について説明する。実施例２の結像光学系の構成を示す断面図を図４に示す。実施例２の結像光学系は、実施例１の結像光学系と同じレンズ枚数の構成である。実施例２の結像光学系について、レンズデータを表３に、非球面係数を表４に、各収差図を図１５および図１６に示す。
【００４９】
【表３】
2020126232.tif 000006
【００５０】
【表４】
2020126232.tif 000007
【００５１】
［実施例３］
次に、実施例３の結像光学系について説明する。実施例３の結像光学系の構成を示す断面図を図５に示す。実施例３の結像光学系は、実施例１の結像光学系と同じレンズ枚数の構成である。実施例３の結像光学系について、レンズデータを表５に、非球面係数を表６に、各収差図を図１７および図１８に示す。
【００５２】
【表５】
2020126232.tif 000008
【００５３】
【表６】
2020126232.tif 000009
【００５４】
［実施例４］
次に、実施例４の結像光学系について説明する。実施例４の結像光学系の構成を示す断面図を図６に示す。実施例４の結像光学系は、物体側から順に、正のパワーを有する１つのミラーＭ１と、複数のレンズからなり正のパワーを有する屈折光学系ＲＯとから構成される。屈折光学系ＲＯは、物体側から順に、レンズＬ１からＬ４の４枚のレンズからなる前群ＧＦと、開口絞りＳｔと、レンズＬ５からＬ６の２枚のレンズからなる後群ＧＲとから構成される。実施例４の結像光学系について、レンズデータを表７に、非球面係数を表８に、各収差図を図１９および図２０に示す。
【００５５】
【表７】
2020126232.tif 000010
【００５６】
【表８】
2020126232.tif 000011
【００５７】
［実施例５］
次に、実施例５の結像光学系について説明する。実施例５の結像光学系の構成を示す断面図を図７に示す。実施例５の結像光学系は、実施例４の結像光学系と同じレンズ枚数の構成である。実施例５の結像光学系について、レンズデータを表９に、非球面係数を表１０に、各収差図を図２１および図２２に示す。
【００５８】
【表９】
2020126232.tif 000012
【００５９】
【表１０】
2020126232.tif 000013
【００６０】
［実施例６］
次に、実施例６の結像光学系について説明する。実施例６の結像光学系の構成を示す断面図を図８に示す。実施例６の結像光学系は、物体側から順に、正のパワーを有する１つのミラーＭ１と、複数のレンズからなり正のパワーを有する屈折光学系ＲＯとから構成される。屈折光学系ＲＯは、物体側から順に、レンズＬ１からＬ５の５枚のレンズからなる前群ＧＦと、開口絞りＳｔと、レンズＬ６からＬ８の３枚のレンズからなる後群ＧＲとから構成される。実施例６の結像光学系について、レンズデータを表１１に、非球面係数を表１２に、各収差図を図２３および図２４に示す。
【００６１】
【表１１】
2020126232.tif 000014
【００６２】
【表１２】
2020126232.tif 000015
【００６３】
［実施例７］
次に、実施例７の結像光学系について説明する。実施例７の結像光学系の構成を示す断面図を図９に示す。実施例７の結像光学系は、実施例１の結像光学系と同じレンズ枚数の構成である。実施例７の結像光学系について、レンズデータを表１３に、非球面係数を表１４に、各収差図を図２５および図２６に示す。
【００６４】
【表１３】
2020126232.tif 000016
【００６５】
【表１４】
2020126232.tif 000017
【００６６】
［実施例８］
次に、実施例８の結像光学系について説明する。実施例８の結像光学系の構成を示す断面図を図１０に示す。実施例８の結像光学系は、物体側から順に、正のパワーを有する１つのミラーＭ１と、複数のレンズからなり正のパワーを有する屈折光学系ＲＯとから構成される。屈折光学系ＲＯは、物体側から順に、レンズＬ１からＬ３の３枚のレンズからなる前群ＧＦと、開口絞りＳｔと、レンズＬ４からＬ６の３枚のレンズからなる後群ＧＲとから構成される。実施例８の結像光学系について、レンズデータを表１５に、非球面係数を表１６に、各収差図を図２７および図２８に示す。
【００６７】
【表１５】
2020126232.tif 000018
【００６８】
【表１６】
2020126232.tif 000019
【００６９】
［実施例９］
次に、実施例９の結像光学系について説明する。実施例９の結像光学系の構成を示す断面図を図１１に示す。実施例９の結像光学系は、実施例１の結像光学系と同じレンズ枚数の構成である。実施例９の結像光学系では、ミラーＭ１と屈折光学系ＲＯとの間の光路に、光路を折り曲げるための平面ミラーＭｐ１が配置されている。実施例９の結像光学系について、レンズデータを表１７に、非球面係数を表１８に、各収差図を図２９および図３０に示す。
【００７０】
【表１７】
2020126232.tif 000020
【００７１】
【表１８】
2020126232.tif 000021
【００７２】
［実施例１０］
次に、実施例１０の結像光学系について説明する。実施例１０の結像光学系の構成を示す断面図を図１２に示す。実施例１０の結像光学系は、実施例１の結像光学系と同じレンズ枚数の構成である。実施例１０の結像光学系について、レンズデータを表１９に、非球面係数を表２０に、各収差図を図３１および図３２に示す。
【００７３】
【表１９】
2020126232.tif 000022
【００７４】
【表２０】
2020126232.tif 000023
【００７５】
実施例１〜１０の結像光学系の、諸元、条件式（１）〜（３）に含まれる記号に対応する値、条件式（１）〜（３）に対応する値を表２１に示す。なお、表２１は、いずれもｄ線を基準とした場合の値である。また、最大画角については、図２〜１２中の最大画角の光束Ｂの主光線と光軸Ｚとの成す角である。また、表２１に示す倍率は、近軸倍率ではなく、原稿を読み取る際の倍率である。
【００７６】
【表２１】
2020126232.tif 000024
【００７７】
以上のデータから、実施例１〜１０の結像光学系は全て、条件式（１）〜（３）を満たしており、小型かつ広角の結像光学系であることが分かる。
【００７８】
以上、実施形態および実施例を挙げて本開示の技術を説明したが、本開示の技術は上記実施形態および実施例に限定されず、種々の変形が可能である。例えば、各レンズの曲率半径、面間隔、屈折率、アッベ数、および非球面係数等は、上記各数値実施例で示した値に限定されず、他の値をとり得る。
【符号の説明】
【００７９】
１０   画像読取装置
１１   結像光学系
１１ａ ミラー
１１ｂ 屈折光学系
１２   撮像素子
１３   筐体
２０   読取範囲
Ａ     光束
Ｂ     光束
Ｃ１   接合レンズ
ＧＦ   前群
ＧＲ   後群
Ｉ     中間像
Ｌ１〜Ｌ８    レンズ
Ｍ１   ミラー
Ｍｐ１ 平面ミラー
Ｏｂｊ 物体面
ＲＯ   屈折光学系
Ｓｉｍ 結像面
Ｙｍａｘ      最大像高
Ｚ     光軸
【図１】
2020126232.tif 000025
【図２】
2020126232.tif 000026
【図３】
2020126232.tif 000027
【図４】
2020126232.tif 000028
【図５】
2020126232.tif 000029
【図６】
2020126232.tif 000030
【図７】
2020126232.tif 000031
【図８】
2020126232.tif 000032
【図９】
2020126232.tif 000033
【図１０】
2020126232.tif 000034
【図１１】
2020126232.tif 000035
【図１２】
2020126232.tif 000036
【図１３】
2020126232.tif 000037
【図１４】
2020126232.tif 000038
【図１５】
2020126232.tif 000039
【図１６】
2020126232.tif 000040
【図１７】
2020126232.tif 000041
【図１８】
2020126232.tif 000042
【図１９】
2020126232.tif 000043
【図２０】
2020126232.tif 000044
【図２１】
2020126232.tif 000045
【図２２】
2020126232.tif 000046
【図２３】
2020126232.tif 000047
【図２４】
2020126232.tif 000048
【図２５】
2020126232.tif 000049
【図２６】
2020126232.tif 000050
【図２７】
2020126232.tif 000051
【図２８】
2020126232.tif 000052
【図２９】
2020126232.tif 000053
【図３０】
2020126232.tif 000054
【図３１】
2020126232.tif 000055
【図３２】
2020126232.tif 000056